(57)【要約】【課題】  連結作業効率を向上し得る、フォークリフトのシフトシリンダ連結構造を提供する。【解決手段】  フォークリフトのシフトシリンダ４のロッド５をフォーク１又はフィンガーバーに連結する構造であって、フォーク１又はフィンガーバーに固定された円筒状のボス２と、ロッド５の先端に設けられボス２内に嵌合するジョイントヘッド６と、ボス２の開口端２ａから深さ方向ｄに延び更に周方向ｐに延び、ロッド５を受け入れて係止するスリット３と、を有することとした。【選択図】  図１
2014101185.tif 000002
【特許請求の範囲】
【請求項１】
フォークリフトのシフトシリンダのロッドをフォーク又はフィンガーバーに連結する構造であって、
フォーク又はフィンガーバーに固定された円筒状のボスと、
前記ロッドの先端に設けられ前記ボス内に嵌合するジョイントヘッドと、
前記ボスの開口端から深さ方向に延び更に周方向に延び、前記ロッドを受け入れて係止するスリットと、
を有することを特徴とする、フォークリフトのシフトシリンダ連結構造。
【請求項２】
前記スリットは、前記ロッドが当接する終端当接面の位置が、該ロッドが水平になる位置に形成されていることを特徴とする請求項１に記載のフォークリフトのシフトシリンダ連結構造。
【請求項３】
前記ジョイントヘッドが球状であることを特徴とする請求項１又は２に記載のフォークリフトのシフトシリンダ連結構造。
【請求項４】
前記ジョイントヘッドが円柱状であることを特徴とする請求項１又は２に記載のフォークリフトのシフトシリンダ連結構造。
【請求項５】
前記ジョイントヘッドが円弧状輪郭を有することを特徴とする請求項１又は２に記載のフォークリフトのシフトシリンダ連結構造。
【発明の詳細な説明】
【技術分野】
【０００１】
本発明は、フォークリフトのフォークシフト又はサイドシフトを駆動するシフトシリンダを取り付ける構造に関する。
【背景技術】
【０００２】
従来、フォークリフトのアタッチメント（付属装置）として、フォークシフトやサイドシフトが知られている。
【０００３】
フォークシフトは、フォークシフター又はフォークポジショナーとも称され、レバー操作でフォーク間隔を調節することを可能にし、荷物の幅が不揃いな荷役作業でも対応することができる。
【０００４】
サイドシフトは、フォークを左右にシフトさせ、荷物の的確な位置決めを可能にする。
【０００５】
従来のフォークシフトでは、シフトシリンダのロッドをフォークに連結するとともにシリンダボトムをリフトブラケットを連結し、水平に懸架される（例えば特許文献１〜３）。シフトシリンダのロッドとフォークとの連結は、詳細には、図１２に示すように、フォーク１の裏側にシリンダブラケット１０，１０を溶接等により固定し、シフトシリンダのロッド５のロッドエンドにロッドエンド軸受１１を設け、シリンダブラケット１０，１０の軸孔とロッドエンド軸受１１の軸孔とに鍔付きのピン１２を連通し、ピン１２の両端にスナップリング１３、１３を嵌めて抜け止めをしている。
【０００６】
従来のサイドシフトも、フォークシフトの場合と同様に、フィンガーバーにシリンダブラケットが固定され、シフトシリンダのロッドエンド軸受の軸孔とシリンダブラケットの軸孔とに鍔付きのピンを連通し、該ピンにスナップリングを嵌めて抜け止めをする連結構造が採用されている（例えば特許文献４）。
【先行技術文献】
【特許文献】
【０００７】
【特許文献１】実開平６−６３９８号公報
【特許文献２】実公平７−１１１１１号公報
【特許文献３】特開平８−１０８９９９号公報
【特許文献４】特開平１１−２４６１９７号公報
【発明の概要】
【発明が解決しようとする課題】
【０００８】
しかしながら、上記従来のシフトシリンダ連結構造では、シリンダブラケット１０の軸孔とロッドエンド軸受１１の軸孔との位置合わせに手間がかかるし、スナップリング１３、１３をピン１２に嵌着するのに専用工具を使用する必要がある上に手間がかかるため、連結作業の作業効率向上が求められていた。
【０００９】
そこで、本発明は、連結作業効率を向上し得る、フォークリフトのシフトシリンダ連結構造を提供することを主たる目的とする。
【課題を解決するための手段】
【００１０】
上記目的を達成するため、本発明に係るフォークリフトのシフトシリンダのロッドをフォーク又はフィンガーバーに連結する構造であって、フォーク又はフィンガーバーに固定された円筒状のボスと、前記ロッドの先端に設けられ前記ボス内に嵌合するジョイントヘッドと、前記ボスの開口端から深さ方向に延び更に周方向に延び、前記ロッドを受け入れて係止するスリットと、を有することを特徴とする。
【００１１】
前記スリットは、前記ロッドが当接する終端当接面の位置が、該ロッドが水平になる位置に形成されていることが好ましい。
【００１２】
前記ジョイントヘッドが球状であることが好ましい。
【００１３】
前記ジョイントヘッドは円柱状としてもよい。
【００１４】
前記ジョイントヘッドが円弧状輪郭を有することが好ましい。
【発明の効果】
【００１５】
本発明によれば、ジョイントヘッドをボス内に嵌め入れつつロッドをスリットに通し、スリットに沿ってロッドをボスの深さ方向に移動させ次いで周方向に移動させるだけで、シフトシリンダのロッドエンド側がフォーク又はフィンガーバーに連結される。そのため、工具が不要で、連結が容易であり、迅速に取り付けることができ、作業能率を向上させることができる。
【図面の簡単な説明】
【００１６】
【図１】本発明に係るフォークリフトのシフトシリンダ連結構造の第１実施形態を示す連結前の斜視図である。
【図２】図１の連結後を示す斜視図である。
【図３】図１のボスを示す正面図である。
【図４】図３の側面図である。
【図５】本発明の構成要素であるスリットの変更態様を示す側面図である。
【図６】本発明の構成要素であるスリットの変更態様を示す側面図である。
【図７】本発明の構成要素であるジョイントヘッドの変更態様を示す斜視図である。
【図８】本発明の構成要素であるジョイントヘッドの変更態様を示す斜視図である。
【図９】本発明の構成要素であるジョイントヘッドの変更態様を示す斜視図である。
【図１０】本発明の構成要素であるジョイントヘッドの変更態様を示す斜視図である。
【図１１】本発明の構成要素であるジョイントヘッドの変更態様を示す斜視図である。
【図１２】従来のシフトシリンダの連結構造を示す正面図である。
【発明を実施するための形態】
【００１７】
本発明に係るフォークリフトのシフトシリンダ連結構造の実施形態について、以下に図１〜図１１を参照して説明する。
【００１８】
図１及び図２を参照すると、フォーク１の裏面に円筒状のボス２が固定されている。ボス２は、ボス２の開口端２ａから深さ方向ｄに延び更に周方向ｐに方向を変えて延びるスリット３が形成されている。スリット３は、シフトシリンダ４のロッド５が挿通できる幅に形成されている。
【００１９】
シフトシリンダ４のロッド５の先端に、ジョイントヘッド６が固定されている。ジョイントヘッド６は、ボス２内に嵌合するように形成されている。ジョイントヘッド６は、ボス２内に嵌合することにより、ボス２の内周面に沿って回転摺動可能となっている。
【００２０】
図１〜図４に示すジョイントヘッド６は、球状をしており、ボス２の内径より僅かに小さい直径を有する球体がロッド５の先端に溶接により固定されている。
【００２１】
上記構成を有するシフトシリンダ連結構造によれば、ボス２にジョイントヘッド６を嵌め入れ、ロッド５をスリット３に横切るようにして挿通しスリット３に沿って移動させ、ロッド５を周方向に延びるスリット３に沿って移動させつつジョイントヘッド６をボス２内で回転摺動させ、ロッド５を水平位置にする。ロッド５は、スリット３の周方向ｐに延びる部分で、ボス２の突出高さ方向（水平方向）への移動が規制されることによりスリット３に係止され、スリット３からの抜脱が防止される。
【００２２】
シフトシリンダ４のシリンダボトム７はリフトブラケット（図示せず。）に取り付けられるがその連結構造は従来と同様にすることができるので説明を省略する。こうしてシフトシリンダ４がフォーク１とリフトブラケットとの間に水平に懸架され連結される。
【００２３】
上記のように、ジョイントヘッド６をボス２内に嵌めつつロッド５をスリット３に通し、次いでロッド５を周方向に延びるスリット３に沿ってボス２の中心回りに回動させるだけでシフトシリンダ４のロッドエンド側をフォーク１に簡単に連結することができるので、工具が不要であり、容易かつ迅速に取り付けることができる。
【００２４】
また、ジョイントヘッド６の形状を球状にすることにより、その球面がボス２へ嵌入する際の案内面となり、嵌入しやすくなる。
【００２５】
また、スリット３は、ロッド５が当接する終端当接面３ａの位置を、ロッド５が水平になる位置に形成しておくことで、ロッド５の水平をとる際の位置決めとすることができる。
【００２６】
スリット３の入口３ｂは、図３に示すように、ボス２の中心軸Ｇを通る水平面Ｈからボス２の中心軸回りに所定角度αの位置に形成されている。角度αは、作業性の観点から、９０°以下であることが好ましい。また、好ましくは、スリット３の入口３ａは、ボス２の中心軸Ｇを通る水平面より鉛直方向上方に形成される。
【００２７】
また、スリット３は、図１〜図４に示す例では、ボス２の深さ方向ｄにボス２の中心軸Ｇと平行に延び、そこから直角に折れて周方向ｐに延びているが、折れ曲がる角度は直角でなくてもよく、例えば、図５に示すように鋭角に折れていてもよいし、或いは、図６に示すように湾曲状に曲がっていてもよく、ロッド５を最終的に連結支持する位置においてロッド５がスリット３に沿ってスリット３から容易に抜け出ないように、スリット３で係止されるようになっていればよい。
【００２８】
ジョイントヘッド６は、球体に限定されず、ボス２内に嵌合することにより、ボス２内でガタツキの無いようにボス２の内周面に沿ってボス２の中心軸Ｇを中心として回転摺動可能な円弧状の輪郭を備えていればよい。
【００２９】
従って、例えば、図７に示すように円柱状のジョイントヘッド６にしてもよく、更に、図８に示すように、円柱と円錐を合体させることにより円柱面部を円錐面部とを含む外形のジョイントヘッド６としても良い。
【００３０】
或いは、図９に示すように、球体の一部をカットした形状のジョイントヘッド６として、球面部と平面部とを含む外形としても良い。
【００３１】
さらに、例えば、図１０に示すように、円柱の一部をカットしたジョイントヘッド６として円弧状の輪郭を一部に有する形状としてもよいし、図１１に示すように、２つの円錐の底面同士を接合した形状のジョイントヘッド６として円弧状輪郭を周囲に有する形状とすることもできる。
【００３２】
上記実施形態においては、フォークにシフトシリンダのロッドを連結するフォークシフトの例について説明したが、フィンガーバーにシフトシリンダのロッドを連結するサイドシフトの場合も上記と同様の連結構造を採用することができる。
【００３３】
本発明は、上記実施形態に限定されるものではなく、本発明に趣旨を逸脱しない範囲において、種々の変更が可能である。
【符号の説明】
【００３４】
１  フォーク
２  ボス
３  スリット
４  シフトシリンダ
５  ロッド
６  ジョイントヘッド
【図１】
2014101185.tif 000003
【図２】
2014101185.tif 000004
【図３】
2014101185.tif 000005
【図４】
2014101185.tif 000006
【図５】
2014101185.tif 000007
【図６】
2014101185.tif 000008
【図７】
2014101185.tif 000009
【図８】
2014101185.tif 000010
【図９】
2014101185.tif 000011
【図１０】
2014101185.tif 000012
【図１１】
2014101185.tif 000013
【図１２】
2014101185.tif 000014